(57)【要約】【課題】程よい硬さの針状突起を容易に成形することができ、しかも、使い勝手のよい塗布具を提供する。【解決手段】塗布具１０は、複数の針状突起を有するブラシ部１１と、このブラシ部１１を支持する支持棒１２とを備え、ブラシ部１１は、樹脂を射出して、針状突起１１ｐの配列する塗布域１１ａと、この塗布域１１ａに連なり支持棒１２の先端部１２ａを連結する連結域１１ｂとを設けて形成され、支持棒１２は、ブラシ部１１を形成する前記樹脂よりも表面硬度（ＡＳＴＭ（アメリカ材料試験協会規格）Ｄ２２４０）の高い材料により形成され、かつ、ブラシ部１１を形成する前記樹脂は、前記表面硬度が５０〜７５の範囲内のエステル系熱可塑性エラストマからなる。【選択図】図３
2005125021.tif 000002
【特許請求の範囲】
【請求項１】
複数の針状突起を有するブラシ部と、このブラシ部を支持する支持棒とを備える塗布具において、
前記ブラシ部は、樹脂を射出して、前記針状突起を配列する塗布域と、この塗布域に連なり前記支持棒の先端部を連結する連結域とを設けて形成され、前記支持棒は、前記ブラシ部を形成する前記樹脂よりも表面硬度（ＡＳＴＭ（アメリカ材料試験協会規格）Ｄ２２４０）の高い材料により形成され、かつ、前記ブラシ部を形成する前記樹脂は、前記表面硬度が５０〜７５の範囲内にあるエステル系熱可塑性エラストマであることを特徴とする塗布具。
【請求項２】
前記ブラシ部の前記エステル系熱可塑性エラストマを表面硬度が５５〜７０の範囲内のものとしてなる請求項１に記載の塗布具。
【請求項３】
前記ブラシ部の前記エステル系熱可塑性エラストマがポリエステル系熱可塑性エラストマである請求項１または２に記載の塗布具。
【請求項４】
前記支持棒を形成する材料が樹脂からなる請求項１乃至３の何れか一項に記載の塗布具。
【請求項５】
前記塗布域における針状突起の配列される軸方向ピッチが中央域より両側域において狭められてなる請求項１乃至４の何れか一項に記載の塗布具。
【請求項６】
前記塗布域における針状突起の長さが中央域より両側域において短くしてなる請求項１乃至５の何れか一項に記載の塗布具。
【請求項７】
前記塗布域に軸線方向に沿って延びる少なくとも１つの不毛帯を設けてなる請求項１乃至６の何れか一項に記載の塗布具。
【発明の詳細な説明】
【技術分野】
【０００１】
複数の針状突起を有するブラシ部と、このブラシ部を支持する支持棒とを備える塗布具に関するものである。
【背景技術】
【０００２】
マスカラなどの塗布具は従来、ナイロン等の糸状のものをワイヤで巻いてブラシ部を構成していたが、ブラシの硬さや形状などの規制が多く、塗布する内容物によっては、その使い勝手が悪いという不都合があった。
【０００３】
このため、複数の鍔状突起を有するブラシ部を軟質ゴムで形成したもの（例えば、特許文献１参照。）や、エラストマプラスチック材料をインジェクション成形（射出成形）するもの（例えば、特許文献２参照。）が提案されている。
【０００４】
【特許文献１】実開昭５８−１０４１１６号公報
【特許文献２】特表２００２−５３８８６８号公報
【発明の開示】
【発明が解決しようとする課題】
【０００５】
しかしながら、こうした従来技術では、鍔状の突起を成形しにくかったり、突起（毛）の密度（毛量）が少なくなるといった不都合があり、また使い勝手の面でも改善の余地があった。
【課題を解決するための手段】
【０００６】
本発明の解決すべき課題は、程よい硬さの針状の突起を容易に成形することができ、しかも、使い勝手のよい塗布具を提供することにある。
【０００７】
請求項１に係る発明は、複数の針状突起を有するブラシ部と、このブラシ部を支持する支持棒とを備える塗布具において、前記ブラシ部は、樹脂を射出して、前記針状突起を配列する塗布域と、この塗布域に連なり前記支持棒の先端部を連結する連結域とを設けて形成され、前記支持棒は、前記ブラシ部を形成する前記樹脂よりも表面硬度（ＡＳＴＭ（アメリカ材料試験協会規格）Ｄ２２４０）の高い材料により形成され、かつ、前記ブラシ部を形成する前記樹脂は、前記表面硬度が５０〜７５の範囲内にあるエステル系熱可塑性エラストマであることを特徴とするものである。
【０００８】
請求項２に係る発明は、請求項１に記載の塗布具において、前記ブラシ部の前記エステル系熱可塑性エラストマを表面硬度が５５〜７０の範囲内のものとしてなるものである。
【０００９】
請求項３に係る発明は、請求項１または２に記載の塗布具において、前記ブラシ部の前記エステル系熱可塑性エラストマをポリエステル系熱可塑性エラストマとするものである。
【００１０】
請求項４に係る発明は、請求項１乃至３の何れか一項に記載の塗布具において、前記支持棒を形成する材料が樹脂からなるものである。
【００１１】
請求項５に係る発明は、請求項１乃至４の何れか一項に記載の塗布具において、前記塗布域における針状突起の配列される軸方向ピッチが中央域より両側域において狭められてなるものである。
【００１２】
請求項６に係る発明は、請求項１乃至５の何れか一項に記載の塗布具において、前記塗布域における針状突起の長さが中央域より両側域において短くしてなるものである。
【００１３】
請求項７に係る発明は、請求項１乃至６の何れか一項に記載の塗布具において、前記塗布域に軸線方向に沿って延びる少なくとも１つの不毛帯を設けてなるものである。
【発明の効果】
【００１４】
請求項１に係る発明は、耐油性、耐薬品性および耐久性に優れたエステル系熱可塑性エラストマのうち、その表面硬度が５０〜７５（ＡＳＴＭ（アメリカ材料試験協会規格）Ｄ２２４０）の範囲内のエステル系熱可塑性エラストマを射出して、前記針状突起を配列する塗布域と、この塗布域に連なり前記支持棒の先端部を連結する連結域とを設けてなるから、前記ブラシ部の塗布域に程よい硬さの針状の突起を容易に成形することができる。また前記ブラシ部を前記支持棒の先端部を連結する連結域と針状突起を配列する塗布域とに分けたことにより、塗布域と支持棒の先端部との間が緩衝域となるため、睫毛などへの当たりがよくなって安全かつ綺麗に塗布できる。加えて、前記支持棒を前記エステル系熱可塑性エラストマよりも硬度の高い樹脂としたから、操作性に優れて使い勝手がよくなる。
【００１５】
また前記エステル系熱可塑性エラストマを表面硬度が５５〜７０の範囲内のものとすれば、適度な柔軟性が得られるため、さらに使い勝手がよくなる。
【００１６】
前記エステル系熱可塑性エラストマをポリエステル系熱可塑性エラストマとすれば、耐屈曲疲労性に加え耐油性および耐化学薬品性などの耐内容物性がさらに向上したブラシ部が得られるため、水溶性・揮発性何れの内容物にも対応できるブラシが構成できることとなり、さらに使い勝手がよくなる。
【００１７】
また前記支持棒を形成する材料を樹脂とすれば、全ての構成部材を樹脂で構成することができ、例えば、金属を好まない内容物などに対して対応可能であるなど、幅広い内容物への対応が可能となる。
【００１８】
さらに、前記塗布域における針状突起の配列される軸方向ピッチを、中央域より両側域において狭める構成とすれば、内容物の塗布に際し、塗布する領域に応じた塗布量の調整が可能となり、使い勝手がよくなる。
【００１９】
さらにまた、前記塗布域における針状突起の長さを、中央域より両側域において短くすれば、塗布域の根元や先端領域に内容物が溜まりにくくなり、液垂れや軸汚れを防止することが可能となる。
【００２０】
加えて、前記塗布域に軸線方向に沿って延びる少なくとも１つの不毛帯を設ければ、睫毛にマスカラ液を塗る際、不毛帯に隣接する針状突起の部分で睫毛に引っ掛かりが生じるため、睫毛を持ち上げてカールさせやすくなる。しかも、その際、不毛帯の部分にマスカラ液が溜まってマスカラ液を多く着けられるため、睫毛にボリュームを持たせることができ、さらに使い勝手がよくなる。
【発明を実施するための最良の形態】
【００２１】
以下、図面を参照して本発明の最良の形態を説明する。
【００２２】
図１，２はそれぞれ、本発明に係る塗布具を収納するマスカラ容器の外観図およびその一部断面図である。
【００２３】
マスカラ容器１は、マスカラ液などの水性或いは油性の揮発性化合物を含む内容物を充填するボトル２と、このボトル２の口部２ａに取り付けられるスクリューキャップ３を含み、このキャップ３に本発明に係る塗布具１０が一体に設けられている。具体的には、塗布具１０は、複数の針状突起を有するブラシ部１１と、このブラシ部１１を支持する支持棒１２とを備え、この支持棒１２の後端部１２ｂがキャップ３に内部嵌合している。なお、ボトル２の口部２ａには扱き部材４が取り付けられており、この扱き部材４は、ブラシ部１１及び支持棒１２に付着した余分な内容物を取り除くための扱き４ａを一体に備える。
【００２４】
図３（ａ），（ｂ）はそれぞれ、塗布具１０を示す要部断面図およびそのＡ−Ａ断面図である。図３（ａ）に示す如く、ブラシ部１１は、耐油性、耐薬品性および耐久性に優れたエステル系熱可塑性エラストマのうち、その表面硬度が５０〜７５（ＡＳＴＭ（アメリカ材料試験協会規格）Ｄ２２４０）の範囲内のエステル系熱可塑性エラストマ、好適には表面硬度が５５〜７０の範囲内のポリエステル系熱可塑性エラストマ（例えば東洋紡「ペルプレン」を使用）を支持棒１２の先端部１２ａ付近に射出して、針状突起１１ｐを配列する塗布域１１ａと、この塗布域１１ａに連なり支持棒１２の先端部１２ａを連結する連結域１１ｂとを一体に設けてなる。支持棒１２は、ブラシ部１１のエステル系熱可塑性エラストマよりも上記表面硬度の高い材料からなり、その材料としては、ポリエチレン，ポリプロピレン等のポリオレフィン；ナイロン等のポリアミド；ポリエチレンテレフタレート（ＰＥＴ），ポリブチレンテレフタレート等のポリエステル；ポリオキシメチレン（ＰＯＭ），ポリカーボネート等の樹脂や金属を使用することができるが、特に樹脂が好ましく、とりわけ、ポリオキシメチレンが好ましい。
【００２５】
かかる構成によれば、表面硬度が５０〜７５の範囲内のエステル系熱可塑性エラストマを射出して、針状突起１１ｐを配列する塗布域１１ａと、この塗布域１１ａに連なり支持棒１２の先端部１２ａを連結する連結域１１ｂとを設けてなるから、ブラシ部１１の塗布域１１ａに程よい硬さの針状の突起１１ｐを容易に成形することができる。またブラシ部１１を、支持棒１２の先端部１２ａを連結する連結域１１ｂと針状突起１１ｐを配列する塗布域１１ａとに分けたことにより、塗布域１１ａと支持棒１２の先端部１２ａとの間が緩衝域１１ｃとなるため、睫毛などへの当たりがよくなって安全かつ綺麗に塗布できる。加えて、支持棒１２を前記エステル系熱可塑性エラストマよりも硬度の高い樹脂としたから、操作性に優れて使い勝手がよくなる。なお、表面硬度が５０を下回るエステル系熱可塑性エラストマの場合は成形しづらく、仮に成形できた場合でもブラシ自体が柔らかくなりすぎてしまう不具合が発生してしまい、また表面硬度が７５を上回るエステル系熱可塑性エラストマの場合にはブラシが硬くなり過ぎて使用勝手が悪くなってしまう不具合が発生する。
【００２６】
ところで、本形態は、図３（ｂ）に示す如く、複数の針状突起１１ｐを塗布域１１ａの全周に設けている。かかる構成においては、塗布域１１ａの全周のどの位置においても内容物を塗布することができ、またブラシ部の形状が従来の形状とほぼ同一であるため、従来品からのブラシ部の変更に当たり、その他構成をそのまま転用できるといったコストメリットを発揮することができる。
【００２７】
また本形態の塗布域１１ａの針状突起１１ｐの配列される軸方向ピッチは、中央域Ｌ2より両側域Ｌ1，Ｌ3において狭められた構成としている。具体的には、図３（ａ）の拡大図に示すように、側域Ｌ1に配列した針状突起１１ｐの軸方向ピッチＰ1を側域Ｌ2に配列した針状突起１１ｐの軸方向ピッチＰ2よりも狭くし（Ｐ1＜Ｐ2）、側域Ｌ3に配列した針状突起１１ｐの軸方向ピッチＰ3も上記拡大図に示す側域Ｌ1と同様、側域Ｌ2に配列した針状突起１１ｐの軸方向ピッチＰ2よりも狭くする（Ｐ3＜Ｐ2）。かかる構成においては、内容物の塗布に際し、睫毛の中央領域に該当する中央域Ｌ2に多量の内容物を、目頭・目尻の睫毛に該当する領域Ｌ1，Ｌ3に少量の内容物を保持可能となる共に、ボリュームを持たせる部分或いは繊細に塗布する部分など、塗布する領域に応じた塗布量の調整が可能となり、使い勝手がよくなる。さらには、先端域Ｌ3は下側の目尻などの細かい塗布域への内容物の塗布にも対応可能となる。
【００２８】
図４は、本発明に係る他の塗布具２０を備えるマスカラ容器１を示す一部断面図であり、図５（ａ），（ｂ）はそれぞれ、塗布具２０を示す要部断面図およびそのＡ−Ａ断面図である。なお、以下において、図１〜３と同一の部分は同一符号をもってその説明を省略する。
【００２９】
塗布具２０も、図４に示す如く、複数の針状突起２１ｐを有するブラシ部２１と、このブラシ部２１を支持する支持棒２２とを備え、この支持棒２２の後端部２２ｂがキャップ３に内部嵌合している。また、ブラシ部２１も、図５（ａ）に示す如く、表面硬度が５０〜７５の範囲内のエステル系熱可塑性エラストマ、好適には、表面硬度が５５〜７０の範囲内のポリエステル系熱可塑性エラストマ（例えば東洋紡「ペルプレン」を使用）を支持棒２２の先端部２２ａ付近に射出して、針状突起２１ｐを配列する塗布域２１ａと、この塗布域２１ａに連なり支持棒２２の先端部２２ａを連結する連結域２１ｂとを設けてなり、支持棒２２は、図１〜図３に示した実施例同様、エステル系熱可塑性エラストマよりも硬度の高い材料からなり、図３の支持棒１２と同様の材料を使用することができるが、特に樹脂が好ましく、とりわけ、ポリオキシメチレンが好ましい。
【００３０】
但し、本形態のブラシ部２１において、塗布域２１ａは、図５（ａ）に示す如く、針状突起２１ｐの先端が指向するのと同じ向きに弓なり湾曲し、図５（ｂ）の領域θに示す如く、針状突起２１ｐを塗布域２１ａの周回方向の一部に設ける一方、その反対側には複数の溝２１ｎを設けている。加えて塗布域２１ａと支持棒２２の先端部２２ａとの間の緩衝域２１ｃは、針状突起２１ｐの先端が指向するのと逆向きに屈折している。なお、本形態では、図５（ａ）に示す如く、塗布域２１ａにおける針状突起２１ｐの長さを、中央域Ｌ5より両側域Ｌ4，Ｌ6において短く構成することにより、塗布域の根元（特に屈曲領域）や先端領域に内容物が溜まりにくくしており、液垂れや軸汚れを防止している。
【００３１】
かかる構成の場合も、表面硬度が５０〜７５の範囲内のエステル系熱可塑性エラストマを射出して、針状突起２１ｐを配列する塗布域２１ａと、この塗布域２１ａに連なり支持棒２２の先端部２２ａを連結する連結域２１ｂとを設けてなるから、ブラシ部２１の塗布域２１ａに程よい硬さの針状の突起を容易に成形することができる。またブラシ部２１を支持棒２２の先端部２２ａを連結する連結域２１ｂと針状突起２１ｐを配列する塗布域２１ａとに分けたことにより、塗布域２１ａと支持棒２２の先端部２２ａとの間が緩衝域２１ｃとなるため、睫毛などへの当たりがよくなって安全かつ綺麗に塗布できる。加えて、支持棒２２を前記エステル系熱可塑性エラストマよりも硬度の高い樹脂としたから、操作性に優れて使い勝手がよくなる。
【００３２】
また本形態は、図５（ｂ）に示す如く、複数の針状突起２１ｐを軸方向に湾曲した形で塗布域２１ａの周回方向の一部（領域θ）に設けると共に、その反対側には複数の溝２１ｎを設けている。かかる構成においては塗布域２１ａが湾曲しているため塗布しやすく、さらにはその反対部である溝２１ｎで塗布箇所を整えたり、多量の内容物を保持する針状突起２１ｐ側と少量の内容物を保持する溝２１ｎを使い分けることで塗布量の使い分けを図ることができる。
【００３３】
ところで、本発明に係る塗布具において、使い勝手のよさをさらに追求したい場合、ブラシ部に設けた塗布域を、例えば、図６に示すように変更することができる。
【００３４】
図６は、図１〜３に示す塗布具１０を参照した変形例であって、塗布域１１ａに配列した複数の針状突起１１ｐの一部をブラシ部１１の軸線方向に沿ってカットまたは成形しないことにより、塗布域１１ａに、この塗布域１１ａを縦断する３つの不毛帯Ｓを形成したものである。
【００３５】
かかる構成によれば、睫毛にマスカラ液を塗る際、不毛帯Ｓと周方向に隣接する針状突起１１ｐeの部分で睫毛に引っ掛かりが生じるため、睫毛を持ち上げてカールさせやすくなる。しかも、その際、不毛帯Ｓの部分にマスカラ液が溜まってマスカラ液を多く着けられるため、睫毛にボリュームが出せる。加えて、複数の針状突起１１ｐを配列した塗布域１１ａと扱き４ａとの抵抗も緩和されるため、塗布具１０をボトル２から取り出すときの操作をスムースに行うことができ、塗布域１１ａの変形によって生じるマスカラ液の飛び散りも緩和できる。従って、複数の針状突起１１ｐを配列した塗布域１１ａに、この塗布域１１ａを軸方向に沿って縦断する不毛帯Ｓを設ければ、さらに使い勝手がよくなる。
【００３６】
なお、不毛帯Ｓは、図４，５で説明の形態にも採用可能であるが、図１〜３で説明の形態の如く、針状突起１１ｐを全周にわたって設けた塗布具１０に採用する方がより効果的である。また不毛帯Ｓは、少なくとも１箇所に形成されていればよく、その形状も直線に限らず、波形であってもよい。さらに不毛帯Ｓは、塗布域１１ｐをブラシ部１１の軸線方向に沿って縦断するものに限らず、図７の模式図に示す如く、塗布域１１ｐを軸線方向に沿って少なくとも２つの領域に分けてこれらの領域毎に不毛帯Ｓを互い違いに形成してもよい。
【００３７】
一方、マスカラ容器１として見た場合、不毛帯Ｓを形成した前記構成に加え、図８に示す如く、扱き４ａの少なくとも一箇所にスリットＳoを設けることが好ましい。この場合、塗布域１１ａと扱き４ａとの抵抗がさらに緩和されるため、塗布具１０または２０をボトル２から取り出すときの操作をスムースに行うことができ、塗布域１１ａの変形によって生じるマスカラ液の飛び散りもさらに緩和できる。従って、扱き４ａの少なくとも一箇所にスリットＳoを設けても、さらに使い勝手がよくなる。
【００３８】
上述したところは、当業者によれば、請求の範囲において、様々な変更を加えることができる。例えば、上述した各形態において、ブラシ部と支持棒との連結には、作業性や製品コストの面から、支持棒の先端部にエステル系熱可塑性エラストマを射出してブラシ部を一体に成形する所謂インサート成形を用いたが、ブラシ部を単体で射出成形したのち、接着などで支持棒に連結してもよい。また、ブラシ部と支持棒との連結は、支持棒の先端に凹部を設け、その内部にエステル系熱可塑性エラストマを射出してブラシ部を一体に成形するか、ブラシ部の連結域に凸部を嵌合させてもよい。さらに、ブラシ部を成形するエステル系熱可塑性エラストマも、その表面硬度が５０〜７５を満たす範囲内のものであれば、内容物に応じて適宜選択することができる。支持棒も同様に、その表面硬度が５０〜７５の範囲内のエステル系熱可塑性エラストマよりも硬度の高い樹脂であればよい。
【００３９】
さらには、本発明の塗布具が用いられる内容物も、水性のものや揮発性油剤を含む油性のものなど何れの内容物に対しても使用することが可能であり特段の限定は存在しないが、特に樹脂が膨潤しやすい揮発性油剤を含有する油性の内容物に対して、その特性を顕著に発揮するものとなる。
【図面の簡単な説明】
【００４０】
【図１】本発明に係る一形態の塗布具を備えるマスカラ容器の外観図ある。
【図２】同形態のマスカラ容器の一部断面図である。
【図３】（ａ），（ｂ）はそれぞれ、同形態の塗布具を示す要部断面図およびそのＡ−Ａ断面図である。
【図４】本発明に係る他の形態の塗布具を備えるマスカラ容器の一部断面図である。
【図５】（ａ），（ｂ）はそれぞれ、同形態の塗布具を示す要部断面図およびそのＡ−Ａ断面図である。
【図６】（ａ），（ｂ）はそれぞれ、図１〜３に係る形態の変形例である塗布具を示す要部断面図およびそのＡ−Ａ断面図である。
【図７】図１〜３に係る形態の他の変形例である塗布具を構成するブラシ部の模式図である。
【図８】（ａ），（ｂ）はそれぞれ、マスカラ容器を構成する扱き部材の断面図及び底面図である。
【符号の説明】
【００４１】
１  マスカラ容器
２  ボトル
３  スクリューキャップ
４  扱き部材
４ａ  扱き
１０  塗布具
１１  ブラシ部
１１ａ  塗布域
１１ｂ  連結域
１１ｃ  緩衝域
１１ｐ，１１ｐe  針状突起
１２  支持棒
２０  塗布具
２１  ブラシ部
２１ａ  塗布域
２１ｂ  連結域
２１ｃ  緩衝域
２１ｐ  針状突起
２２  支持棒
Ｓ  不毛帯
Ｓo  スリット
【図１】
2005125021.tif 000003
【図２】
2005125021.tif 000004
【図３】
2005125021.tif 000005
【図４】
2005125021.tif 000006
【図５】
2005125021.tif 000007
【図６】
2005125021.tif 000008
【図７】
2005125021.tif 000009
【図８】
2005125021.tif 000010